(57)【要約】【課題】外観が大きくならず使用時に邪魔にならなず、さらには、安価で簡単に取り付けることのできる台付き水栓の断熱カバー取付構造、および、台付き水栓の断熱カバーを提供することを目的とする。【解決手段】台付き水栓の給湯管を接続する側の裏面部と側面部とを断熱カバーで被ってなる台付き水栓の断熱カバー取付構造であって、前記台付き水栓は、断熱カバーで被う側面部に外周が螺子を切った突出部を形成し、かつ、前記断熱カバーは、裏面部と開口を形成した側面部とを有し、その開口に前記突出部を貫通して、突出部に開口よりも外形の大きいキャップを螺合して、水栓本体とキャップとにて断熱カバーを挟み込むように固定したことを特徴とする台付き水栓の断熱カバー取付構造とした。【選択図】　図４
2004076335.tif 000002
【特許請求の範囲】
【請求項１】
台付き水栓の給湯管を接続する側の裏面部と側面部とを断熱カバーで被ってなる台付き水栓の断熱カバー取付構造であって、
前記台付き水栓は、断熱カバーで被う側面部に外周が螺子を切った突出部を形成し、
かつ、前記断熱カバーは、裏面部と開口を形成した側面部とを有し、
その開口に前記突出部を貫通して、突出部に開口よりも外形の大きいキャップを螺合して、水栓本体とキャップとにて断熱カバーを挟み込むように固定したことを特徴とする台付き水栓の断熱カバー取付構造。
【請求項２】
前記突出部は、フィルター用蓋であって、
そのフィルター用蓋は、水栓本体の通水内に混入された異物を除去するために水栓本体の側面部に設けた開口部からフィルターを内在させてその開口部を被うとともに水栓本体の側面部から突出するように取り付けてなることを特徴とする請求項１に記載の台付き水栓の断熱カバー取付構造。
【請求項３】
前記断熱カバーは、底部を除く外周端部にリブが形成され、さらに、断熱カバーの内側に縦方向にリブが形成されていることを特徴とする請求項１または２に記載の台付き水栓の断熱カバー取付構造。
【請求項４】
操作ハンドル用の表示部と側面部と裏面部とから構成された断熱カバーであって、
前記表示部には固定片が形成されており、台付き水栓の給湯管を接続する側の水栓本体の側面部上方に固定穴が形成されており、この固定穴に固定片を差し込むことで断熱カバーを水栓本体の側面部および裏面部に取付けてなることを特徴とする台付き水栓の断熱カバー取付構造。
【請求項５】
台付き水栓の給湯管を接続する側の水栓本体の裏面部と側面部とを被い、
かつ、底部を除く外周端部にリブを形成し、さらに、内側に縦方向に延設したリブを形成したことを特徴とする台付き水栓の断熱カバー。
【発明の詳細な説明】
【０００１】
【発明の属する技術分野】
本発明は、台付き水栓の断熱カバー取付構造、および、台付き水栓の断熱カバーに関する。
【０００２】
【従来の技術】
従来水栓においては、給湯管から供給される湯が高温の場合、給湯管ならびに水栓本体内の湯水混合部までの給湯路の外装が熱くなってしまう。そのため、少なくともその部分を断熱カバー等で覆うことで使用者が手で触れても熱く感じないようにしている。
たとえば、湯側の脚部に断熱カバーを被せたものや水栓本体を断熱カバーで全て被ったものなどがある。
特に、台付き水栓の場合、水栓本体が矩形状で、水栓本体の底面端部がカウンター上面に接するように取り付けられる。
そして、このような台付き水栓の場合、水栓本体を全て断熱カバーで被っていた。
【０００３】
【発明が解決しようとする課題】
しかしながら、水栓本体を全て断熱カバーで被った場合、コストアップにつながったり、断熱カバー自体が大きくなってしまい意匠性を低下したり、使用時に邪魔になり水栓自体の操作性が低下するおそれがある。
そこで、本発明では上記の問題点を解決するため、外観が大きくならず使用時に邪魔にならなず、さらには、安価で簡単に取り付けることのできる台付き水栓の断熱カバー取付構造、および、台付き水栓の断熱カバーを提供することを目的とする。
【０００４】
【課題を解決するための手段】
本発明の請求項１では、台付き水栓の給湯管を接続する側の裏面部と側面部とを断熱カバーで被ってなる台付き水栓の断熱カバー取付構造であって、前記台付き水栓は、断熱カバーで被う側面部に外周が螺子を切った突出部を形成し、かつ、前記断熱カバーは、裏面部と開口を形成した側面部とを有し、その開口に前記突出部を貫通して、突出部に開口よりも外形の大きいキャップを螺合して、水栓本体とキャップとにて断熱カバーを挟み込むように固定したことを特徴とする台付き水栓の断熱カバー取付構造とした。
【０００５】
これにより、水栓本体全体を被わずに断熱すべき裏面部と側面部を断熱カバーで被うことにより、外観が大きくならず使用時に邪魔にならなくて済む。そして、既存の台付き水栓本体の形状を変えることなく、安価で簡単に断熱カバーを取り付けることのでき、使用者が手で触れても熱く感じることがない。
また、突出部や開口もキャップで被ってしまうため、さらに使用者が手で触れても熱く感じることがないように断熱することができる。
【０００６】
本発明の請求項２では、前記突出部は、フィルター用蓋であって、そのフィルター用蓋は、水栓本体の通水内に混入された異物を除去するために水栓本体の側面部に設けた開口部からフィルターを内在させてその開口部を被うとともに水栓本体の側面部から突出するように取り付けてなることを特徴とする請求項１に記載の台付き水栓の断熱カバー取付構造とした。
【０００７】
これにより、既存のフィルター用蓋の形状を水栓本体の側面部に取付けた状態で突出するように変更すればよく、断熱カバーを確実に取付けるために水栓本体の形状を変更する必要がなく、安価で簡単に断熱カバーを取付けることができる。
【０００８】
本発明の請求項３では、前記断熱カバーは、底部を除く外周端部にリブが形成され、さらに、断熱カバーの内側に縦方向にリブが形成されていることを特徴とする請求項１または２に記載の台付き水栓の断熱カバー取付構造とした。
【０００９】
これにより、湯水が断熱カバーと水栓本体との隙間に入り込んだとしても、必ず縦方向のリブに沿って下側の底部の方から断熱カバーの外へ流れ出る。そのため、断熱カバーと水栓本体との隙間に湯水が停滞することがなく、かびの発生や汚れの付着を低減することができる。
【００１０】
本発明の請求項４では、操作ハンドル用の表示部と側面部と裏面部とから構成された断熱カバーであって、前記表示部には固定片が形成されており、台付き水栓の給湯管を接続する側の水栓本体の側面部上方に固定穴が形成されており、この固定穴に固定片を差し込むことで断熱カバーを水栓本体の側面部および裏面部に取付けてなることを特徴とする台付き水栓の断熱カバー取付構造とした。
【００１１】
これにより、水栓本体全体を被わずに断熱すべき裏面部と側面部を断熱カバーで被うことにより、外観が大きくならず使用時に邪魔にならなくて済む。そして、操作ハンドル用の表示部と一体的に形成した断熱カバーとすることで、既存の台付き水栓本体の形状を変えることなく、安価で簡単に断熱カバーを取り付けることのでき、使用者が手で触れても熱く感じることがない。
なお、操作ハンドルとは、流量調整用ハンドルまたは温度調整用ハンドルを言う。
【００１２】
本発明の請求項５では、台付き水栓の給湯管を接続する側の水栓本体の裏面部と側面部とを被い、かつ、底部を除く外周端部にリブを形成し、さらに、内側に縦方向に延設したリブを形成したことを特徴とする台付き水栓の断熱カバーとした。
【００１３】
これにより、湯水が断熱カバーと水栓本体との隙間に入り込んだとしても、必ず縦方向のリブに沿って下側の底部の方から断熱カバーの外へ流れ出る。そのため、断熱カバーと水栓本体との隙間に湯水が停滞することがなく、かびの発生や汚れの付着を低減することができる。
【００１４】
【発明の実施の形態】
以下に図面を参照して本発明をより具体的に説明する。
図１は、浴室８の洗い場１０側のカウンター７上面に台付き水栓１を設置した状態図である。
図２は、図１に示す台付き水栓１の拡大図である。
図３は、本件発明の一実施の形態である台付き水栓１の断熱カバー２０である。
図４は、図３の断熱カバー２０を台付き水栓１に取り付け手順を示す図である。
図５は、本件発明の一実施の形態である台付き水栓１の別の断熱カバー２０である。
図６は、図５の断熱カバー２０を台付き水栓１に取り付け手順を示す図である。
【００１５】
図１に示すように、浴室８は浴槽９と洗い場１０とで大きく２分されている。また、浴槽９と洗い場１０に沿った一壁面にはカウンター７が設置されている。
そして、このカウンター７の上面には台付き水栓１が設けられている。
なお、台付き水栓１とは、図２に示すように、給水管１１および給湯管１２が水栓を設置するカウンター７や壁面内に収納されており、水栓本体１Ａの給水管１１と給湯管１２とを接続する部分の面がカウンター７上面（平面）や壁面（垂直面）に隙間なく接して設置される湯水混合栓のことを言う。
また、台付き水栓１の側面部２２の左上方には、温度調整ハンドル２が設けられており、台付き水栓１の側面部２２の右上方には、流量調整ハンドル３が設けられている。
さらに、水栓本体１Ａの左右側面部２２下方には、給水、給湯内に混入した異物を除去するためのフィルターを取り付ける開口部をそれぞれ有しており、フィルターを水栓本体１Ａ内の給水路ならびに給湯路に取り付けた後、フィルター用蓋１４でその開口部を被っている。
また、水栓本体１Ａの上方中央には、カラン４が取り付けられており、水栓本体１Ａの裏面部２１にはシャワーノズル６に連結されたシャワーホース５が接続されている。そして、カラン４からの吐水とシャワーノズル６からの吐水の切替は、流量調整ハンドル３にて行う。流量調整ハンドル３を中心に位置させた場合、シャワーノズル６からもカラン４からも止水した状態となる。そして中心位置から一方に流量調整ハンドル３を回転させるとカラン４からの吐水流量が増大し、中心位置から他方に流量調整ハンドル３を回転させるとシャワーノズル６からの吐水流量が増大するように構成されている。
【００１６】
給湯管１２自体はカウンター７や壁面内に収納されているため、直接使用者が触れることはない。
また、給湯管１２から流れてきた湯は水栓本体１Ａに入り、水栓本体１Ａの湯水混合部で湯水が混合される。そのため、湯水混合部までの給湯路は、熱湯が通ることになる。そのため、水栓本体１Ａ内に形成されている給湯路の外装は、熱湯が通ることにより、熱が伝達されて熱くなるおそれがある。特に、台付き水栓１の場合、裏面部２１左側は給湯路が位置する場所であり、裏面部２１左側が熱くなるおそれがある。
なお、裏面部２１とは、水栓本体１Ａを水平なカウンター７上面に取り付けた場合は背面を示し、水栓本体１Ａを垂直な壁面に取り付けた場合は底面を示す。また、表面部２３とは、裏面部２１と対向する面（正面や平面）を言う。
さらに、給水管１１および給湯管１２の経路内には止水栓１３がそれぞれ設けられている。
【００１７】
次に、断熱カバー２０について図３乃至図６に基づき説明する。
図３および図４に一実施形態である断熱カバー２０を示し、図５および図６に別の実施形態である断熱カバー２０を示す。
図３に示す断熱カバー２０は、裏面部２１と側面部２２と表面部２３とによって平面視略Ｌ字形状に構成されている。
この裏面部２１には、水栓本体１Ａの裏面部２１下方に設けた水抜き栓１６を貫通する水抜き栓用開口２６が形成されている。また、側面部２２には、フィルター用開口２５が形成されている。
さらに、断熱カバー２０の内側には縦方向にリブ２７が形成されており、外周の上部と側部にはリブを形成し、底部２４はリブ２７を形成していない構成となっている。
このようにリブ２７を形成したのは、断熱カバー２０と水栓本体１Ａとの隙間に湯水が入り込んだとき必ず下側（断熱カバー２０の底部２４側）から断熱カバー２０の外へ流れ出るようにするためである。このようにすることで、断熱カバー２０の内側に水が停滞することがなく、かびの発生や汚れの付着が低減することができる。
また、このように縦方向にリブ２７を形成し底部２４にリブ２７を形成しないようにすることで、一体成形が可能なように型抜きが容易となり、成形性を向上することができる。
さらに、リブ２７を形成することで、水栓本体１Ａに取り付けたときに、断熱カバー２０と水栓本体１Ａとの間に隙間が形成されて空気層が生じ、熱の伝達を抑制することができる。そのため、さらに一層、断熱カバー２０を手で触れても熱く感じることはない。
【００１８】
図４には、図３に示した断熱カバー２０の取り付け手順を水栓本体１Ａの裏面部２１側から見た状態を示す。
なお、このフィルター用蓋１４は水栓本体１Ａより突出して形成されており、この突出した部分には螺子が切ってある。
まず、断熱カバー２０を水抜き栓１６に水抜き栓用開口２６が貫通するように取り付ける。
そして、横方向に長穴に形成された水抜き栓用開口２６に沿ってスライドさせて、水栓本体１Ａの側面部２２に設けたフィルター用蓋１４が断熱カバー２０のフィルター用開口２５に貫通させる。
そして、このフィルター用蓋１４に外形がフィルター用開口２５よりも大きいフィルター用蓋キャップ１４Ａを螺合させて、水栓本体１Ａとフィルター用蓋キャップ１４Ａとで断熱カバー２０を挟み込むようにして固定する。
【００１９】
次に、図５に示す断熱カバー２０について説明する。
図５に示す断熱カバー２０は、裏面部２１と側面部２２と表示部１５とによって平面視略Ｌ字形状に構成されている。
この断熱カバー２０は、側面部２２と表示部１５とが一体成形されており、裏面部２１と側面部２２とを嵌合係止して組み付けて一体化させている。このように、２部材を組み合わせることで断熱カバー２０の平面視Ｌ形状の開き角度を鈍角とならないように形成することができる。そのため、表示部１５を利用して固定した場合においても水栓本体１Ａの側面部２２と裏面部２１との両方に断熱カバー２０が隙間なく接して取り付けることができる。
なお、図５に示す断熱カバー２０においても、図３と同様に、側面部２２にはフィルター用開口２５が形成されており、裏面部２１には水抜き栓用開口２６が形成されている。
【００２０】
図６に基づき、取り付け手順を説明する。図６は水栓本体１Ａの裏面部２１側から見た状態を示す。
一体化された断熱カバー２０の表示部１５の内側には、固定片１５Ａが形成されており、この固定片１５Ａが水栓本体１Ａの側面部２２に形成された固定穴１５Ｂに差し込むことによって断熱カバー２０全体を水栓本体１Ａに固定する。
このように、表示部１５を利用することで、フィルター用蓋キャップ１４Ａを設けずに固定することができる。
なお、図３に示すようなフィルター用蓋１４やフィルター用蓋キャップ１４Ａを設けてもよい。
【００２１】
【発明の効果】
以上により、外観が大きくならず使用時に邪魔にならなず、さらには、安価で簡単に取り付けることのできる台付き水栓の断熱カバー取付構造、および、台付き水栓の断熱カバーを提供することができる。
【図面の簡単な説明】
【図１】本件発明の一実施の形態である台付き水栓を浴室の洗い場側のカウンター上面に設置した状態図
【図２】図１に示す台付き水栓の拡大図
【図３】本件発明の一実施の形態である台付き水栓の断熱カバー
【図４】図３の断熱カバーを台付き水栓に取り付け手順を示す図
【図５】本件発明の一実施の形態である台付き水栓の別の断熱カバー
【図６】図５の断熱カバーを台付き水栓に取り付け手順を示す図
【符号の説明】
１　台付き水栓
１Ａ　水栓本体
２　温度調整ハンドル
３　流量調整ハンドル
４　カラン
５　シャワーホース
６　シャワーノズル
７　カウンター
８　浴室
９　浴槽
１０　洗い場
１１　給水管
１２　給湯管
１３　止水栓
１４　フィルター用蓋
１４Ａ　フィルター用蓋キャップ
１５　表示部
１５Ａ　固定片
１５Ｂ　固定穴
１６　水抜き栓
２０　断熱カバー
２１　裏面部
２２　側面部
２３　表面部
２４　底部
２５　フィルター用開口
２６　水抜き栓用開口
２７　リブ
【図１】
2004076335.tif 000003
【図２】
2004076335.tif 000004
【図３】
2004076335.tif 000005
【図４】
2004076335.tif 000006
【図５】
2004076335.tif 000007
【図６】
2004076335.tif 000008